(57)【要約】【課題】映像遅延回路の記憶領域を小さくする。【解決手段】本発明のインターホン装置は、親機１と、親機１に接続された子機２ａ、２ｂ、２ｃとを備えている。  子機２ａ、２ｂ、２ｃは、訪問者を撮像して映像信号を出力するカメラ２２、訪問者が近づいたことを検知して検知信号を出力する人体感知センサ２３、人体感知センサからの検知信号を受けると、人体感知したことを示すコマンド信号を出力する子機ＣＰＵ２４、映像信号を所定時間遅延させて出力する映像遅延回路２５を備えている。  親機１は、コマンド信号を受信する親機ＣＰＵ１３、コマンド信号を受信した親機ＣＰＵによりＯＮされる親機画像スイッチ１４、ＯＮされた親機画像スイッチを介して遅延した映像信号を出画するモニタ１６を備えている。【選択図】図１
2006279788.tif 000002
【特許請求の範囲】
【請求項１】
訪問者の音声を入力し、訪問者へ居住者の音声を出力する子機通話部（２１）、訪問者を撮像して映像信号を出力するカメラ（２２）、訪問者が近づいたことを検知して検知信号を出力する人体感知センサ（２３）、前記人体感知センサからの検知信号を受けると、人体感知したことを示すコマンド信号を出力する子機ＣＰＵ（２４）、前記映像信号を所定時間遅延させて出力する映像遅延回路（２５）、前記コマンド信号により前記映像遅延回路からの遅延した映像信号を出力する子機スイッチ（２６）、前記音声、前記映像信号および前記コマンド信号の多重、分離を行なう子機多重分離回路（２７）を有する子機（２ａ、２ｂ、２ｃ）と、
居住者の音声を入力し、居住者へ訪問者の音声を出力する親機通話部（１１）、前記音声、前記映像信号、前記コマンド信号の多重、分離を行なう親機多重分離回路（１２）、前記コマンド信号を受信する親機ＣＰＵ（１３）、前記コマンド信号を受信した前記親機ＣＰＵによりＯＮされる親機画像スイッチ（１４）、前記ＯＮされた親機画像スイッチを介して前記遅延した映像信号を出画するモニタ（１６）を有する親機（１）とを備えたことを特徴とするインターホン装置。
【請求項２】
前記親機は前記カメラからの映像信号をモニタするモニタボタン（１７）を備え、前記モニタボタンが操作されて出力するモニタ要求コマンド信号により前記子機スイッチが切り替わり前記カメラからの映像信号を前記親機画像スイッチを介して前記モニタに出画することを特徴とする請求項１記載のインターホン装置。
【請求項３】
訪問者の音声を入力し、訪問者へ居住者の音声を出力する子機通話部（２１）、訪問者を撮像して映像信号を出力するカメラ（２２）、訪問者が近づいたことを検知して検知信号を出力する人体感知センサ（２３）、前記人体感知センサからの検知信号を受けると、人体感知したことを示すコマンド信号を出力する子機ＣＰＵ（２４）、前記子機ＣＰＵからの前記コマンド信号を受信したとき遅延された映像信号を所定時間録画する映像遅延回路（２５）を有する子機（２）と、
居住者の音声を入力し、居住者へ訪問者の音声を出力する親機通話部（１１）、前記音声、前記映像信号の多重、分離を行なう親機多重分離回路（１２）、前記映像遅延回路に録画された映像信号を読み出すための再生ボタン（１８）、前記再生ボタンからの再生要求コマンド信号を受信する親機ＣＰＵ（１３）、前記再生要求コマンド信号を受信した前記親機ＣＰＵによりＯＮされる親機画像スイッチ（１４）、前記ＯＮされた親機画像スイッチを介して前記映像遅延回路に録画された映像信号を出画するモニタ（１６）を有する親機（１）とを備えたことを特徴とするインターホン装置。
【請求項４】
前記親機は、前記映像遅延回路にて遅延される遅延時間を設定するための親機側設定スイッチ（１９）を備えたことを特徴とする請求項１乃至請求項３何れか１項記載のインターホン装置。
【請求項５】
前記子機は、前記映像遅延回路にて遅延される遅延時間を設定するための子機側設定スイッチ（２８）を備えたことを特徴とする請求項１乃至請求項３何れか１項記載のインターホン装置。
【発明の詳細な説明】
【技術分野】
【０００１】
本発明はインターホン装置に係わり、特に映像信号を所定時間遅延させて出力する映像遅延回路を備えたインターホン装置に関する。
【背景技術】
【０００２】
従来から、この種のインターホン装置として、図２に示すような構成のものが知られている（例えば、特許文献１参照）。
【０００３】
同図において、従来のインターホン装置は、住戸内に設置される親機１０と、住戸玄関等に設置される第１〜第３の子機２０ａ〜２０ｃとを備えており、第１の子機２０ａは第１の伝送路Ｌ１０を介して、第２の子機２０ｂは第２の伝送路Ｌ２０を介して、第３の子機２０ｃは第３の伝送路Ｌ３０を介してそれぞれ親機１０に接続されている。
【０００４】
第１〜第３の子機２０ａ〜２０ｃはそれぞれ同様の構成とされ、それぞれ、訪問者の音声を入力する子機マイクおよび訪問者へ居住者の音声を出力する子機スピーカから成る子機通話部２１０と、訪問者や不審者を撮像して映像信号を出力するカメラ２２０と、訪問者や不審者が近づいたことを検知して検知信号を出力する人体感知センサ２３０と、人体感知センサからの検知信号を受けると、人体感知したことを示すコマンド信号を出力する子機ＣＰＵ２４０と、音声、映像信号およびコマンド信号の多重、分離を行なう子機多重分離回路２７０と、呼出ボタン２９０とを備えている。ここで、子機ＣＰＵ２４０は、カメラ２２０、人体感知センサ２３０、子機多重分離回路２７０および呼出ボタン２９０に接続され、子機多重分離回路２７０には子機通話部２１０およびカメラ２２０が接続されている。また、各子機２０ａ〜２０ｃの子機多重分離回路２７０はそれぞれ第１〜第３の伝送路Ｌ１０〜Ｌ３０を介してそれぞれ親機多重分離回路１２０に接続されている。
【０００５】
親機１０は、居住者の音声を入力する親機マイクおよび居住者へ訪問者の音声を出力する親機スピーカから成る親機通話部１１０と、音声、映像信号、コマンド信号の多重、分離を行なう親機多重分離回路１２０と、親機多重分離回路１２０から出力された映像信号を取得して遅延させて出力する映像遅延回路１３０と、後述する親機画像スイッチ１５０および親機音声スイッチ１６０の切替を行なう親機ＣＰＵ１４０と、親機多重分離回路１２０から出力された映像信号と映像遅延回路１３０から出力された映像信号を選択して出力する親機画像スイッチ１５０と、子機通話部２１０、親機通話部１１０および親機多重分離回路１２０の間の通話路を接続・切断する親機音声スイッチ１６０と、映像を表示するモニタ１７０とを備えている。ここで、親機ＣＰＵ１４０は、親機多重分離回路１２０、親機画像スイッチ１５０および親機音声スイッチ１６０に接続され、親機音声スイッチ１６０には親機通話部１１０および親機多重分離回路１２０が接続されている。また、親機画像スイッチ１５０はコモン接点ｃおよび第１、第２のメーク接点ｍ１、ｍ２を備えており、コモン接点ｃはモニタ１７０に、第１のメーク接点ｍ１は映像遅延回路１３０に、第２のメーク接点ｍ２は親機多重分離回路１２０にそれぞれ接続され、映像遅延回路１３０には親機多重分離回路１２０が接続されている。
【０００６】
このような構成のインターホン装置においては、第１、第２、第３の子機２０ａ〜２０ｃから出力される全ての映像信号が常時映像遅延回路１３０に入力されている。また、人体感知センサ２３０が人体感知すると、子機ＣＰＵ２４０から人体感知したことを示すコマンド信号が出力され、当該コマンド信号が親機ＣＰＵ１４０へ伝送されると、親機ＣＰＵ１４０の制御により親機画像スイッチ１５０が第１のメーク接点ｍ１側に切り替えられ映像遅延回路１３０に接続されることで、人体感知以前の映像がモニタ１７０に出画される。さらに、訪問者が呼出ボタン２９０を押下すると、子機ＣＰＵ２４０から呼出ボタンが押されたことを示す呼出コマンド信号が出力され、当該呼出コマンド信号が親機ＣＰＵ１４０へ伝送されると、親機ＣＰＵ１４０の制御により親機画像スイッチ１５０が第２のメーク接点ｍ２側に切り替えられ親機多重分離回路１２０に接続されることで、リアルタイムでの映像がモニタ１７０に出画される。
【０００７】
【特許文献１】特開２００２−２９０５７７号公報（段落「０００２」〜「０００９」、図２）
【発明の開示】
【発明が解決しようとする課題】
【０００８】
しかしながら、このような構成のインターホン装置においては、次のような難点がある。
【０００９】
第１に、親機に搭載させる映像遅延回路として、親機に接続されている全ての子機から伝送される映像信号を蓄えるのに十分な記憶領域を有するものを装備しなければならない。
【００１０】
第２に、親機に記憶領域の大きい映像遅延回路を搭載すると、例えば１台の子機のみを使用するユーザにとっては、映像遅延回路における記憶領域の殆どが使用されないことから、当該ユーザにおいては過剰品質の親機を使用することになり、ひいては当該ユーザに対して不要なコスト負担を強いることになる。
【００１１】
第３に、記憶領域の大きい映像遅延回路を搭載すると、インターホン装置が全体的にコストアップになる。
【００１２】
本発明は、このような難点を解決するためになされたもので、子機側に記憶領域の小さい映像遅延回路を搭載することで、子機の接続台数が少ないユーザに対して不要なコスト負担を強いることのないインターホン装置を提供することを目的としている。
【課題を解決するための手段】
【００１３】
本発明は上述の難点を解消するためになされたもので、本発明の第１の態様であるインターホン装置は、訪問者の音声を入力し、訪問者へ居住者の音声を出力する子機通話部、訪問者を撮像して映像信号を出力するカメラ、訪問者が近づいたことを検知して検知信号を出力する人体感知センサ、人体感知センサからの検知信号を受けると、人体感知したことを示すコマンド信号を出力する子機ＣＰＵ、映像信号を所定時間遅延させて出力する映像遅延回路、コマンド信号により映像遅延回路からの遅延した映像信号を出力する子機スイッチ、音声、映像信号およびコマンド信号の多重、分離を行なう子機多重分離回路を有する子機と、居住者の音声を入力し、居住者へ訪問者の音声を出力する親機通話部、音声、映像信号、コマンド信号の多重、分離を行なう親機多重分離回路、コマンド信号を受信する親機ＣＰＵ、コマンド信号を受信した親機ＣＰＵによりＯＮされる親機画像スイッチ、ＯＮされた親機画像スイッチを介して遅延した映像信号を出画するモニタを有する親機とを備えたものである。
【００１４】
本発明の第２の態様は、第１の態様であるインターホン装置において、親機はカメラからの映像信号をモニタするモニタボタンを備え、モニタボタンが操作されて出力するモニタ要求コマンド信号により子機スイッチが切り替わりカメラからの映像信号を親機画像スイッチを介してモニタに出画するものである。
【００１５】
本発明の第３の態様であるインターホン装置は、訪問者の音声を入力し、訪問者へ居住者の音声を出力する子機通話部、訪問者を撮像して映像信号を出力するカメラ、訪問者が近づいたことを検知して検知信号を出力する人体感知センサ、人体感知センサからの検知信号を受けると、人体感知したことを示すコマンド信号を出力する子機ＣＰＵ、子機ＣＰＵからのコマンド信号を受信したとき遅延された映像信号を所定時間録画する映像遅延回路を有する子機と、居住者の音声を入力し、居住者へ訪問者の音声を出力する親機通話部、音声、映像信号の多重、分離を行なう親機多重分離回路、映像遅延回路に録画された映像信号を読み出すための再生ボタン、再生ボタンからの再生要求コマンド信号を受信する親機ＣＰＵ、再生要求コマンド信号を受信した親機ＣＰＵによりＯＮされる親機画像スイッチ、ＯＮされた親機画像スイッチを介して映像遅延回路に録画された映像信号を出画するモニタを有する親機とを備えたものである。
【００１６】
本発明の第４の態様は、第１の態様乃至第３の態様の何れかの態様であるインターホン装置において、親機は、映像遅延回路にて遅延される遅延時間を設定するための親機側設定スイッチを備えたものである。
【００１７】
本発明の第５の態様は、第１の態様乃至第３の態様の何れかの態様であるインターホン装置において、子機は、映像遅延回路にて遅延される遅延時間を設定するための子機側設定スイッチを備えたものである。
【発明の効果】
【００１８】
本発明の第１の態様乃至第５の態様のインターホン装置によれば、次のような効果がある。
【００１９】
第１に、子機に従来の映像遅延回路よりも小さい記憶領域を有する映像遅延回路を搭載することで、例えば１台の子機のみを使用するユーザに対して過剰品質とならない親機を提供することができ、ひいては当該ユーザに対して不要なコスト負担を強いるおそれがなくなる。
【００２０】
第２に、記憶領域の小さい映像遅延回路を搭載することでインターホン装置の全体的なコストダウンを図ることができる。
【発明を実施するための最良の形態】
【００２１】
以下、本発明のインターホン装置を適用した好ましい実施の形態例について、図面を参照して詳述する。
【００２２】
図１は、本発明のインターホン装置のブロック図である。
【００２３】
同図において、本発明のインターホン装置は、住戸内に設置される親機１と、住戸玄関等に設置される第１〜第３の子機２ａ〜２ｃとを備えており、第１の子機２ａは第１の伝送路Ｌ１を介して、第２の子機２ｂは第２の伝送路Ｌ２を介して、第３の子機２ｃは第３の伝送路Ｌ３を介してそれぞれ親機１に接続されている。
【００２４】
第１〜第３の子機２ａ〜２ｃはそれぞれ同様の構成とされ、それぞれ、訪問者の音声を入力する子機マイクおよび訪問者へ居住者の音声を出力する子機スピーカから成る子機通話部２１と、訪問者や不審者を撮像して映像信号を出力するカメラ２２と、訪問者や不審者が近づいたことを検知して検知信号を出力する人体感知センサ２３と、人体感知センサからの検知信号を受けると、人体感知したことを示すコマンド信号を出力する子機ＣＰＵ２４と、映像信号を所定時間（例えば２〜３秒程度）遅延させて出力、若しくは遅延された映像信号を所定時間（例えば２〜３秒程度）録画する映像遅延回路２５と、コマンド信号により映像遅延回路からの遅延した映像信号を出力する子機スイッチ２６と、音声、映像信号およびコマンド信号の多重、分離を行なう子機多重分離回路２７と、映像遅延回路にて遅延される遅延時間を設定するための子機側設定スイッチ２８と、呼出ボタン２９とを備えている。ここで、子機ＣＰＵ２４は、カメラ２２、人体感知センサ２３、映像遅延回路２５、子機スイッチ２６、子機多重分離回路２７、子機側設定スイッチ２８および呼出ボタン２９に接続され、カメラ２２には映像遅延回路２５が、子機多重分離回路２７には子機通話部２１がそれぞれ接続されている。また、子機スイッチ２６はコモン接点Ｃおよび第１、第２のメーク接点Ｍ１、Ｍ２を備えており、コモン接点Ｃは子機多重分離回路２７に、第１のメーク接点Ｍ１は映像遅延回路２５に、第２のメーク接点Ｍ２はカメラ２２にそれぞれ接続されている。また、各子機２ａ〜２ｃの子機多重分離回路２７はそれぞれ第１〜第３の伝送路Ｌ１〜Ｌ３を介して親機多重分離回路１２に接続されている。
【００２５】
親機１は、居住者の音声を入力する親機マイクおよび居住者へ訪問者の音声を出力する親機スピーカから成る親機通話部１１と、音声、映像信号、コマンド信号の多重、分離を行なう親機多重分離回路１２と、コマンド信号を受信する親機ＣＰＵ１３と、コマンド信号を受信した親機ＣＰＵ１３によりＯＮされる親機画像スイッチ１４および親機音声スイッチ１５と、ＯＮされた親機画像スイッチを介して映像信号を出画するモニタ１６と、カメラからの映像信号をモニタするモニタボタン１７と、映像遅延回路に録画された映像信号を読み出すための再生ボタン１８と、映像遅延回路にて遅延される遅延時間（例えば２〜３秒程度）を設定するための親機側設定スイッチ１９とを備えている。ここで、親機ＣＰＵ１３は、親機多重分離回路１２、親機画像スイッチ１４、親機音声スイッチ１５、モニタボタン１７、再生ボタン１８および親機側設定スイッチ１９に接続され、親機画像スイッチ１４には親機多重分離回路１２およびモニタ１６が接続され、親機音声スイッチ１５には親機通話部１１および親機多重分離回路１２が接続されている。
【００２６】
次に、このように構成された本発明のインターホン装置の動作について説明する。なお、第１〜第３の子機２ａ〜２ｃはそれぞれ同様の動作をすることから、以下の説明では第１の子機２ａと親機１間の動作について説明する。
【００２７】
先ず、待受時においては、カメラ２２および映像遅延回路２５は常に能動状態にあり、親機画像スイッチ１４および親機音声スイッチ１５は開成している。また、子機スイッチ２６は第２のメーク接点Ｍ２側に閉成されている。また、訪問者がカメラ２２で撮像されると、カメラ２２から訪問者の映像信号が出力され、当該映像信号が映像遅延回路２５へ伝送される。かかる映像信号は映像遅延回路２５から所定の時間（例えば２〜３秒程度）遅延されて出力されるがどこへも伝送されていない。
【００２８】
このような状態において、訪問者が第１の子機２ａに近づくと、人体感知センサ２３から訪問者が近づいたことを示す検知信号が出力され、この検知信号が子機ＣＰＵ２４へ伝送される。かかる検知信号が子機ＣＰＵ２４で検知されると、子機ＣＰＵ２４から人体感知したことを示すコマンド信号が出力され、当該コマンド信号が子機多重分離回路２７へ伝送される。また、これと共に、子機ＣＰＵ２４の制御により、子機スイッチ２６が第１のメーク接点Ｍ１側へ切り替えられる。これにより、カメラ２２からの映像信号が映像遅延回路２５へ出力するように設定される。
【００２９】
一方、映像遅延回路２５から遅延された映像信号が子機スイッチ２６を介して子機多重分離回路２７へ伝送され、かかる遅延した映像信号は子機多重分離回路２７において、子機ＣＰＵ２４からの人体感知したことを示すコマンド信号と多重されて第１の伝送路Ｌ１を介して親機多重分離回路１２へ伝送される。
【００３０】
子機から伝送された多重信号は、親機多重分離回路１２において、コマンド信号と映像信号が分離され、分離されたコマンド信号が親機ＣＰＵ１３へ伝送される。
【００３１】
分離したコマンド信号が親機ＣＰＵ１３で検出されると、親機ＣＰＵ１３の制御より、親機画像スイッチ１４がＯＮ（閉成）される。これにより、親機多重分離回路１２から、分離された映像信号が親機画像スイッチ１４を介してモニタ１６へ伝送される。ここで、当該映像信号は映像遅延回路２５において２〜３秒程度の時間、遅延して出力されていることから、モニタ１６には人体感知する前の映像（２〜３秒程度前の映像）が出画されることになる。
【００３２】
次に、本発明のインターホン装置の付加機能について説明する。
【００３３】
第１に、親機１に、カメラ２２からの映像信号をモニタするモニタボタン１７を搭載した場合には、カメラ２２から伝送される映像信号をモニタ１６に出画させることができる。すなわち、居住者がモニタボタン１７を押下操作すると、親機ＣＰＵ１３の制御により、親機画像スイッチ１４および親機音声スイッチ１５がＯＮ（閉成）されると共に、親機ＣＰＵ１３からモニタ要求コマンド信号が出力され、当該モニタ要求コマンド信号が親機多重分離回路１２、第１の伝送路Ｌ１および子機多重分離回路２７を介して子機ＣＰＵ２４へ伝送される。
【００３４】
かかるモニタ要求コマンド信号が子機ＣＰＵ２４で検出されると、子機ＣＰＵ２４の制御により子機スイッチ２６が第２のメーク接点Ｍ２側に切り替えられる。これにより、カメラ２２からの映像信号が子機スイッチ２６、子機多重分離回路２７、第１の伝送路Ｌ１、親機多重分離回路１２および親機画像スイッチ１４を介してモニタ１６へ伝送され、当該モニタ１６にリアルタイムでの映像信号が出画される。
【００３５】
また、親機音声スイッチ１５がＯＮ（閉成）されて、子機通話部２１を構成する子機スピーカ（不図示）と親機通話部１１を構成する親機スピーカ（不図示）間に第１の伝送路Ｌ１を介して通話路が形成されていることから、居住者は親機マイクにより第１の子機２ａの周辺の様子（音声）を聴取することができる。
【００３６】
第２に、子機２ａの映像遅延回路２５に、子機ＣＰＵ２４からのコマンド信号を受信したとき遅延された映像信号を所定時間録画する機能を搭載し、かつ、親機１に映像遅延回路２５に録画された映像信号を読み出すための再生ボタン１８を搭載した場合には、モニタ１６に映像遅延回路２５に録画された映像信号を出画させることができる。すなわち、居住者が再生ボタン１８を押下操作すると、親機ＣＰＵ１３の制御により、親機画像スイッチ１４がＯＮ（閉成）されると共に、親機ＣＰＵ１３から再生要求コマンド信号出力され、当該再生要求コマンド信号が前述のモニタ要求コマンド信号と同様の経路を経由して子機ＣＰＵ２４へ伝送される。
【００３７】
かかる再生要求コマンド信号が子機ＣＰＵ２４で検出されると、子機ＣＰＵ２４の制御により映像遅延回路２５が能動にされると共に子機スイッチ２６が第１のメーク接点Ｍ１側に切り替えられる。これにより、映像遅延回路２５に録画された映像信号が読み出され、読み出された映像信号が前述の映像信号と同様の経路を経由してモニタ１６へ伝送され、当該モニタ１６に録画された映像信号が出画される。
【００３８】
第３に、親機１に、親機側設定スイッチ１９を搭載した場合には、親機１側において、映像遅延回路２５にて遅延される遅延時間を設定することができる。
【００３９】
第４に、子機２ａ、２ｂ、２ｃに、子機側設定スイッチ２８を搭載した場合には、子機２ａ、２ｂ、２ｃ側において、映像遅延回路２５にて遅延される遅延時間を設定することができる。
【産業上の利用可能性】
【００４０】
本発明は、特許請求の範囲内で、次のように、変更、修正を加えることができる。
【００４１】
前述の実施例においては、親機に第１〜第３の子機２ａ〜２ｃを接続した場合について述べているが、親機に１台または２台の子機、或いは４台以上の子機を接続してもよい。
【図面の簡単な説明】
【００４２】
【図１】本発明のインターホン装置の一実施例を示すブロック図。
【図２】従来のインターホン装置を示すブロック図。
【符号の説明】
【００４３】
１・・・親機
１１・・・親機通話部
１２・・・親機多重分離回路
１３・・・親機ＣＰＵ
１４・・・親機画像スイッチ
１６・・・モニタ
１７・・・モニタボタン
１８・・・再生ボタン
１９・・・親機側設定スイッチ
２ａ、２ｂ、２ｃ・・・子機
２１・・・子機通話部
２２・・・カメラ
２３・・・人体感知センサ
２４・・・子機ＣＰＵ
２５・・・映像遅延回路
２６・・・子機スイッチ
２７・・・子機多重分離回路
２８・・・子機側設定スイッチ
【図１】
2006279788.tif 000003
【図２】
2006279788.tif 000004